(57)【要約】【課題】ユーザーがサーバーシャーシ内のコンピュータコンポーネントを交換する負担を軽減するカバー装置を提供する。【解決手段】シャーシ本体用のカバー装置であって、前記シャーシ本体に受容され、前記シャーシ本体の全長および全幅上に延伸するように構成されたトップカバー、および前記トップカバーに結合され、ハンドルを含み、開位置と閉位置とを移行するように構成され、前記開位置は、前記シャーシ本体内に収容された少なくとも１つのコンポーネントへのアクセスを提供するサブカバーを含むカバー装置。【選択図】図３Ｂ
2020191066.tif 000002
【特許請求の範囲】
【請求項１】
シャーシ本体用のカバー装置であって、
前記シャーシ本体に受容され、前記シャーシ本体の全長および全幅上に延伸するように構成されたトップカバー、および
前記トップカバーに結合され、ハンドルを含み、開位置と閉位置とを移行するように構成され、前記開位置は、前記シャーシ本体内に収容された少なくとも１つのコンポーネントへのアクセスを提供するサブカバーを含むカバー装置。
【請求項２】
前記サブカバーは、前記シャーシ本体に収容された複数のファンの上に配置される請求項１に記載のカバー装置。
【請求項３】
前記開位置にあるとき、前記サブカバーは、スライド可能に前記トップカバーの下に受容される請求項１に記載のカバー装置。
【請求項４】
前記サブカバーは前記トップカバーに回転可能に連結される請求項１に記載のカバー装置。
【請求項５】
前記開位置では、前記サブカバーは前記トップカバーの前部から離れて回転する請求項４に記載のカバー装置。
【請求項６】
前記トップカバーは、一対の端縁部を含み、各端縁部は、前記シャーシ本体の一つ側の上に延伸する請求項１に記載のカバー装置。
【請求項７】
前記サブカバーはスライドラッチをさらに含む請求項１に記載のカバー装置。
【請求項８】
複数のシャーシ本体、および
各カバー装置が前記複数のシャーシ本体の中のシャーシ本体に対応する複数のカバー装置を含み、
前記複数のカバー装置の中の各カバー装置は、
対応する前記シャーシ本体に受容され、対応する前記シャーシ本体の全長および全幅上に延伸するように構成されたトップカバー、および
前記トップカバーに結合され、ハンドルを含み、開位置と閉位置とを移行するように構成され、前記開位置は、対応する前記シャーシ本体内に収容された少なくとも１つのコンポーネントへのアクセスを提供するサブカバーをさらに含むサーバーラック。
【請求項９】
前記サブカバーは、対応する前記シャーシ本体に収容された複数のファンの上に配置される請求項８に記載のサーバーラック。
【請求項１０】
複数のコンポーネント、および
カバー装置を含み、
前記カバー装置は、
シャーシ本体に受容され、前記シャーシ本体の全長および全幅上に延伸するように構成されたトップカバー、および
前記トップカバーに結合され、ハンドルを含み、開位置と閉位置とを移行するように構成され、前記開位置は、前記シャーシ本体内に収容された少なくとも１つのコンポーネントへのアクセスを提供するサブカバーをさらに含むシャーシ本体。
【発明の詳細な説明】
【技術分野】
【０００１】
本発明は、サーバーシャーシのカバー装置に関するものである。
【背景技術】
【０００２】
コンピュータシャーシは、ラックシステムに用いられ、さまざまなコンピュータコンポーネントおよび多くの異なるサイズを保持することができる。通常、コンピューターのシャーシは個別のカバーを有し、サーバーシャーシ内の温度を調整する助けをするように用いられる。カバーは、ほこり、虫、および外部空気循環からコンポーネントも保護する。温度調節不良、虫、およびほこりは全て、コンピュータコンポーネントにダメージを与え、コンピューターシステムの故障を招く。
【０００３】
例えば、コンピュータコンポーネントが故障したとき、または新しいモデルと交換する必要があるとき、ユーザーは多くの場合、シャーシ本体から特定のコンポーネントを交換し、残りのコンポーネントはその元の場所に残す必要がある。いくつかの例では、コンピューターのシャーシがまだ使用可能なときにコンポーネントを交換する必要がある。従来のシャーシカバーは通常、コンポーネントを交換するためにユーザーがカバー全体を取り外す必要がある。これは面倒であり、特定のコンピュータコンポーネントへのアクセスのしやすさを妨げる可能性がある。ユーザーがさまざまなコンピュータシャーシから同じコンポーネントを交換する必要があるとき、問題は深刻化する。各例では、ユーザーはカバーを取り外し、カバーをどこかに置き、コンポーネントを交換して、カバーを交換する必要がある。
【０００４】
従って、ユーザーがサーバーシャーシ内のコンピュータコンポーネントを交換する負担を軽減する装置が必要である。
【先行技術文献】
【特許文献】
【０００５】
【特許文献１】特開２００２−１０８５０１号公報
【発明の概要】
【発明が解決しようとする課題】
【０００６】
ユーザーがサーバーシャーシ内のコンピュータコンポーネントを交換する負担を軽減するカバー装置を提供する。
【課題を解決するための手段】
【０００７】
本開示の様々な例は、シャーシ本体用のカバー装置に関するものである。第１の実施形態では、本開示は、トップカバーおよびサブカバーを含むカバー装置を提供する。トップカバーは、シャーシ本体に受容され、シャーシ本体の全長および全幅上に延伸する。サブカバーはトップカバーに結合され、ロック機構を含む。サブカバーは、開位置と閉位置とを移行するように構成される。開位置では、サブカバーは、シャーシ本体内に収容された少なくとも１つのコンポーネントへのアクセスを可能にする。
【０００８】
いくつかの例では、サブカバーは、シャーシ本体に収容された複数のファンの上に配置される。従って、開位置にあるとき、サブカバーは複数のファンへのアクセスを可能にする。
【０００９】
いくつかの例では、サブカバーはスライド可能であり、トップカバーの下をスライドすることにより、閉位置から開位置に移行する。他の例では、サブカバーはトップカバーに回転可能に連結される。サブカバーは、例えば、サブカバーが開位置に移行したとき、トップカバーの後部に向かって回転して開くことができる。
【００１０】
いくつかの例では、トップカバーは、一対の端縁部を含む。各端縁部は、シャーシ本体の一つ側の上に延伸し、トップカバーをシャーシ本体に固定する。
【００１１】
いくつかの例では、ハンドルはスライドラッチである。
【００１２】
本開示の第２の実施形態は、複数のシャーシ本体と複数のカバー装置とを含むサーバーラックを提供する。各カバー装置は、複数のシャーシ本体の中のシャーシ本体に対応する。各カバー装置は、第１の実施形態に関して提供されたカバー装置であることができる。第２の実施形態の追加の例は、第１の実施形態に関して提供された例であることができる。
【００１３】
本開示の第３の実施形態は、複数のコンポーネントとカバー装置とを含むシャーシ本体を提供する。カバー装置は、第１の実施形態に関して提供されたカバー装置であることができる。第３の実施形態の追加の例は、第１の実施形態に関して提供された例であることができる。
【００１４】
上述した概要は、本開示の各実施形態又は全ての態様を表すことを意図するものではない。むしろ、上述した概要は、本明細書に記載された新規な態様及び特徴のいくつかの例を提供するに過ぎない。本開示の上述した特徴及び利点、並びに、他の特徴及び利点は、添付の図面及び添付の特許請求の範囲と関連して、本発明を実施するための代表的な実施形態及び態様についての以下の詳細な説明から容易に明らかとなるであろう。
【図面の簡単な説明】
【００１５】
添付の図面は、本発明の実施形態を例示するものであり、説明とともに本発明の原理を説明するに役立つ。図面は、例示的な実施形態の主要な特徴を図式的に示すことを意図している。図面は、実際の実施形態のすべての特徴または描かれた要素の相対的な寸法を描くことを意図しておらず、縮尺通りに描かれていない。
【図１Ａ】従来技術による、従来のコンピュータシャーシおよびカバー設計を示している。
【図１Ｂ】従来技術による、開放型パーティション（ｏｐｅｎ  ｐａｒｔｉｔｉｏｎ）を有する従来のカバーを示す。
【図２Ａ】本開示の実施形態による、例示的なシャーシカバーを示している。
【図２Ｂ】本開示の実施形態による、例示的なシャーシカバーを示している。
【図２Ｃ】本開示の実施形態による、例示的なサイドラッチを示している。
【図２Ｄ】本開示の実施形態による、例示的なサイドラッチを示している。
【図３Ａ】本開示の実施形態による、回転可能なサブカバーを有する例示的なシャーシカバーを示している。
【図３Ｂ】本開示の実施形態による、回転可能なサブカバーを有する例示的なシャーシカバーを示している。
【図４Ａ】本開示の実施形態による、スライド可能なサブカバーを有する例示的なシャーシカバーを示している。
【図４Ｂ】本開示の実施形態による、スライド可能なサブカバーを有する例示的なシャーシカバーを示している。
【図５Ａ】本開示の実施形態による、例示的なスライドラッチを示している。
【図５Ｂ】本開示の実施形態による、例示的なロック機構を示している。
【発明を実施するための形態】
【００１６】
添付の図面を参照しながら本発明を説明するが、同様の参照番号は全体を通して同様の、または同一の要素を示すのに用いられる。図面は、本発明を説明するためのものであり、縮尺通りに描かれるとは限らない。本発明のいくつかの態様では、説明のために、応用例を参照に以下に述べられる。多数の特定の詳細、関係、および方法が本発明の完全な理解を提供するために明記されていることは理解すべきである。しかしながら、当業者には、本発明は、これらの特定の詳細なしに、または他の方法を用いて行い得ることは容易に理解できるであろう。その他の実施形態において、従来公知の構造または操作は、本発明が曖昧にならないようにするため、詳述されていない。本発明は、描かれた動作またはイベントの順序に限定されるものではなく、いくつかの動作は、異なる順序および／またはその他の動作またはイベントと同時に起こり得る。また、全ての描かれた動作またはイベントにより本発明に基づいた方法を実現する必要があるわけではない。
【００１７】
本開示は、トップカバーおよびサブカバーを含むカバー装置に関するものである。トップカバーは、シャーシ本体に受容され、シャーシ本体上に延伸し、空気、ほこり、および任意のその他の外部の影響からシャーシ本体を保護する。サブカバーはトップカバーに結合され、ロック機構を含む。サブカバーは、開位置と閉位置とを移行し、これにより、シャーシ本体内に収容されたコンピュータコンポーネントへのアクセスを可能にする。サブカバーは、トップカバー全体を取り外すことなく、容易に開けられ、コンピュータコンポーネントを修理または交換することができる。
【００１８】
図１Ａは、従来技術による、従来のコンピュータシャーシ１００Ａを示している。従来のシャーシ１００Ａは、シャーシ本体１１０、第１のカバー１２０、および第２のカバー１３０を含む。図１Ａは、従来のシャーシカバーが２つの別構造、第１のカバー１２０および第２のカバー１３０を必要とすることを示している。これらのカバー１２０、１３０の両方が閉じられているとき（図１Ａに示されるように）、シャーシ本体１１０内のコンポーネントは、ほこりや外気の循環から保護される。
【００１９】
図１Ｂは、第１のカバー１２０が取り外され、第２のカバー１３０が回転して開けられた従来のシャーシ１００Ｂを示している。また、図１Ｂは、コンピュータファン１１２のアレイを示している。図１Ｂは、ユーザーがシャーシ本体１１０内のコンポーネントにアクセスしたいとき、第１のカバー１２０は取り外されることができ、第２のカバー１３０は回転されて開くことができることを示している。従って、例えば、コンピュータファン１１２のアレイは、シャーシ本体内に収容された複数の他のコンピュータコンポーネントの中から取り外されることができる。いくつかの例では、第１のカバー１２０は、ネジまたは他の固定機構によってシャーシ本体１１０に固定されることができ、これは、取り外すためには外部ツールまたは装置を必要とする。いくつかの例では、第２のカバー１３０は、第１のカバー１２０がシャーシ本体１１０（図示せず）に取り付けられたままで、回転されて開くことができる。第２のカバー１３０は、シャーシ本体１１０の前部１１１に永久的に固定される。
【００２０】
図１Ｂは、第２のカバー１３０が、シャーシ本体１１０の後部１１３から離れて、シャーシ本体１１０の前部１１１に向かって回転されて開くことを示している。従って、シャーシ本体１１０内に収容されたコンピュータコンポーネントへのアクセスの容易さは、第２のカバー１３０の存在により制限される。これは、大型のコンピュータコンポーネント（マザーボードなど）またはケーブルが接続されたコンピュータコンポーネントの取り外しまたは取り付けプロセスに特に影響する。これらのアクセスの問題は、シャーシ本体１１０のサーバーラック全体のいずれかを更新する必要があるとき、大規模な取り付けまたは取り外しのプロジェクトでは深刻化する。
【００２１】
従来のカバー設計の欠陥を解決するために、本開示は新しいシャーシカバーを提供する。図２Ａは、前部１１１と後部１１３を有するシャーシ本体１１０、トップカバー２０２、サイドラッチ２０４ａと２０４ｂ、およびサイド部２０５を含む例示的なコンピュータシャーシ２００Ａを示している。トップカバー２０２が取り外され、ファン１１２ａおよびファン１１２のアレイを含む複数のコンピュータコンポーネントが現れている例示的なコンピュータシャーシ２００Ｂを示している。図２Ａ〜図２Ｂは、本開示の同様の態様を示しており、以下でタンデムに説明される。
【００２２】
図２Ａは、シャーシ本体１１０の上部に配置されることができるトップカバー２０２を示している。トップカバー２０２は、シャーシ本体１１０の全長および全幅上に延伸し、シャーシ本体１１０内のコンピュータコンポーネントをほこりおよび外部気流から完全に密閉することができる。トップカバー２０２は、シャーシ本体１１０の端縁部上に延伸するサイド部２０５を有することができる。いくつかの例では、トップカバー２０２は、シャーシ本体１１０の上部に  平らに配置され、サイド部２０５によって固定されることができる。他の例では、カバー２０２は、サイド部２０５の機能として、シャーシ本体１１０の上部の位置に嵌め込むことができる。
【００２３】
トップカバー２０２は、シャーシ本体１１０の両側に一対のサイドラッチ２０４ａおよび２０４ｂをさらに含む。図２Ｃ〜図２Ｄに示すように、例示的なラッチ装置２０４が示されている。図２Ｃは、ロック位置２００Ｃにある装置２０４の例示的な図を示しており、図２Ｄは、ロック解除位置２００Ｄにある装置２０４の例示的な図を示している。図２Ｃ〜図２Ｄは、トップカバー２０２、ボタン２８０、ボタンハウジング２８１、停止要素２８２、シャーシ壁２８３、受容要素２８４、および第１の開口２８５を示している。
【００２４】
図２Ｃに示されるように、ラッチ装置２０４はロックされたロック位置２００Ｃにある。ロックされたロック位置２００Ｃでは、ボタン２８０に力が加えられない。従って、停止要素２８２は、受容要素２８４の第１の開口２８５によって完全に受容される。受容要素２８４は、トップカバー２０２に固定されたボタンハウジング２８１に固定されることができる。受容要素２８４は、停止要素２８２を受容するように構成され、ロックされた位置２００Ｃで、ラッチ装置２０４の前方または後方への移動ができないようになる。図２Ｃは、第２の開口２９０を有するトップカバー２０２をさらに示している。この第２の開口２９０は、ボタン２８０に対応し、ユーザーがカバー２０２を取り外すことなくボタン２８０にアクセスできるようになる。
【００２５】
図２Ｄは、ラッチ装置２０４のロック解除位置２００Ｄを示している。ユーザー２９５はボタン２８０を押すことができる。受容要素２８４は、ボタン２８０に結合されることができ、ボタン２８０の下方向への移動が、受容要素２８４も下方向に移動させるようになる。従って、停止要素２８２は、受容要素２８４によって再度受容されることがなくなる。ユーザー２９５がボタン２８０を押している間、ユーザーはトップカバー２０２を方向２９２にスライドさせることができる。
【００２６】
図２Ｂに示すように、コンピュータシャーシ２００Ｂは、取り外されたトップカバー２０２を示しており、シャーシ本体１１０内に収容された複数のコンピュータコンポーネントへのアクセスを可能にする。例えば、シャーシ本体１１０は、ファン１１２のアレイを収容することができる。例えば、トップカバー２０２が取り外されたとき、ファン１１２ａは、容易に取り外されることができる。
【００２７】
本開示のいくつかの例では、トップカバー２０２は、トップカバー２０２に配置されたサブカバーを含み、コンピュータコンポーネント（例えば、頻繁に削除、交換、または修復されるコンポーネント）の選択セットへのアクセスを可能にする。図３Ａ〜図３Ｂは、本開示の一実施形態による、例示的なサブカバーを示している。図３Ａのシャーシ３００Ａは、図２Ａおよび図２Ｂのシャーシ２００Ａおよび２００Ｂと同様の多くのラベルおよびコンポーネントを示している。さらに、シャーシ３００Ａは、サブカバー３０４、ロック機構３０６、および１セットのヒンジ３０５を示している。
【００２８】
サブカバー３０４はロック機構３０６を含み、例えば一対のヒンジ３０５によりトップカバー２０２に結合される。ロック機構３０６は、ユーザーがサブカバー３０４の開閉を可能にする任意のハンドルであることができる。いくつかの例では、ロック機構３０６は、サブカバー３０４を閉位置（図３Ａに示されるように）にロックする。例示的なロック機構は、図５Ａに以下さらに示される。 
【００２９】
ヒンジ３０５は、サブカバー３０４の後側３０３でサブカバー３０４に固定され、後側３０３はトップカバー２０２の後部１１３に最も近い。サブカバー３０４は、閉位置（図３Ａに示されている）と開位置（図３Ｂに示されている）とを移行する。サブカバー３０４は、ヒンジ３０５を介して、シャーシ本体１１０の前部１１１から離れて回転して開く。これにより、サブカバー３０４からの干渉なしに内部コンポーネントへのアクセスを可能にする。図３Ｂに示されるように、ファン１１２のアレイは、アクセスされることができ、特定のファン１１２ａはシャーシ本体１１０の前部１１１から容易にアクセスできる。
【００３０】
サブカバー３０４は、シャーシ本体１１０の前部１１１に近接したファン１１２のアレイの上に配置されるように示されているが、本開示は、例示的なサブカバー３０４がトップカバー２０２上のどこにでも配置されることができるように企図している。例えば、例示的なサブカバー３０４は、後部１１３またはトップカバー２０２の側面部に沿って配置され、サイドラッチ２０４ａおよび２０４ｂに隣接することができる。いくつかの例では、サブカバーは、ユーザーが頻繁にアクセスする必要があるコンピュータコンポーネントの上に配置される。また、サブカバー３０４は、図３Ａ〜図３Ｂでは特定のサイズで示されているが（例えば、ファン１１２のアレイのサイズに対応して）、本開示は、サブカバー３０４が任意のサイズであることができるように企図している。いくつかの例では、サブカバー３０４のサイズは、シャーシ本体１１０に収容された特定のコンピュータコンポーネントのサイズに対応する。例えば、サブカバー３０４は、マザーボード、中央処理装置、グラフィック処理ユニット、電源、電源ケーブル、および／または任意の他の当技術分野で知られているコンピュータコンポーネントのサイズに応じたサイズにすることができる。いくつかの例では、サブカバー３０４は、複数のコンピュータコンポーネントへのアクセスを可能にし、それに応じてサイズ設定され、配置される。
【００３１】
従って、図３Ａ〜図３Ｂは、図１Ａ〜図１Ｂに示された従来のカバー装置よりも優れた機能性を説明している。図１Ａ〜図１Ｂは、第２のカバー１３０がシャーシ本体１１０内部のコンポーネントへのアクセスをどのように妨げるかを示しており、これは、図３Ａ〜図３Ｂに示されるような本開示のカバー装置のケースではない。 
【００３２】
図４Ａ〜図４Ｂは、本開示の別の実施形態による、スライド可能なサブカバーを示している。図４Ａのシャーシ４００Ａは、図２Ａおよび図２Ｂのシャーシ２００Ａおよび２００Ｂと同様の多くのラベルおよびコンポーネントを示している。さらに、シャーシ４００Ａは、サブカバー４０８およびロック機構４１０を含む。サブカバー４０８は、閉位置（図４Ａに示されている）と開位置（図４Ｂに示されている）との間で移行することができる。サブカバー４０８は、前記位置間をスライド可能に移動する。サブカバー４０８は、ロック機構４１０を介して前述の位置との間で移動されることができる。ロック機構４１０は、ユーザーが操作するように構成された任意の機構であることができる。いくつかの例では、ロック機構４１０は、サブカバーを閉位置にロックすることができる（図４Ａに示されるように）。例示的なロック機構４１０は、図５Ｂに関して以下にさらに説明される。
【００３３】
要約すると、図４Ａ〜図４Ｂのサブカバー４０８は、図３Ａ〜図３Ｂのサブカバー３０４と同様の利点を提供し、ユーザーがシャーシ本体１１０のコンポーネントにアクセスしているときに、コンピュータコンポーネントへのアクセスが容易で、かつサブカバー４０８からの干渉がないことを含んでいる。また、サブカバー４０８は、図３Ａ〜図３Ｂのサブカバー３０４に関して説明された同じ代替の特性を有することができ、（１）サブカバー４０８は、トップカバー２０２上のどこにでも配置されることができ、（２）サブカバー４０８は任意のサイズにすることができ、且つ（３）サブカバー４０８は、シャーシ本体１１０内に収容された特定のコンピュータコンポーネントに対応するようにサイズ設定されて配置されることができることを含む。
【００３４】
図５Ａは、本開示の実施形態による、例示的なスライドラッチ装置５００Ａを示している。スライドラッチ装置５００Ａは、ロック機構３０６、フック５０２、本体５０４、ハウジング５０６、および受容要素５０８を含むことができる。例えば、スライドラッチ装置５００Ａは、図３Ａおよび図３Ｂのシャーシ３００Ａおよび３００Ｂにそれぞれ用いられることができる。装置５００Ａは、ハウジング５０６内で前後に移動する本体５０４を含む。例えば、本体５０４はユーザーによって移動されることができる。本体５０４は、フック５０２を含むことができ、フック５０２は、受容要素５０８によって受容されることができる。例えば、受容要素５０８は、凹部、オプション、または開口であることができる。フック５０２は、例えば、サブカバー３０４が閉位置にあるとき、受容要素５０８によって受容されることができる。フック５０２が受容要素５０８によって受容されるとき、装置５００Ａは、ロックされることができ、装置５００Ａは、フック５０２が受容要素５０８から出るように、ユーザーが本体５０４を引っ張ることによってロック解除されることができる。
【００３５】
図５Ｂは、例示的なロック機構５００Ｂを示している。ロック機構５００Ｂは、つまみねじ５１０、凹部５１２、受容要素５１４、および開口５１６を含むことができる。ロック機構５００Ｂは、スライドサブカバー４０８を開位置（図４Ｂに示されている）と閉位置（図４Ａに示されている）との間で移動させるように用いられることができる。例えば、ロック機構５００Ｂは、図４Ａ〜図４Ｂに示されるように、ロック機構４１０であることができる。ロック機構５００Ｂは、つまみねじ５１０を備えた凹部５１２を含むことができる。閉位置にあるとき、つまみねじ５１０は、受容要素５１４の開口５１６によって受容されることができる。例えば、開口５１６は、つまみねじ５１０が固定されることができるタッピング押し出し（ｔａｐｐｉｎｇ ｅｘｔｒｕｄｅ）であることができる。いくつかの例では、つまみねじ５１０は、サブカバー４０８を閉位置にロックする。つまみねじ５１０は、例えば、ユーザーによって引っ張られて、サブカバー４０８をロック解除し、サブカバー４０８を開位置に移行させることができる。
【００３６】
例示的なラッチ装置５００Ａおよびロック機構５００Ｂが図５Ａおよび図５Ｂにそれぞれ示されているが、当技術分野で知られている任意のラッチ、固定要素、および／または留め具は、図３Ａ〜図４Ｂに示されるカバー装置に用いられることができる。いくつかの例では、ラッチ、固定要素、および／または留め具は用いられない。要約すると、（１）外部ツールを用いてサブカバーを開ける、または（２）トップカバー全体を取り外す、ことなく、ハンドル装置の例示的なラッチ装置５００Ａおよびロック機構５００Ｂは、ユーザーがシャーシ本体１１０内のコンポーネントに迅速にアクセスできるようにさせる。
【００３７】
本発明の様々な実施形態について上述したが、それらは限定ではなく例として提示されたものであることを理解されたい。本発明の趣旨又は範囲から逸脱することなく、開示された実施形態に対する多数の変更を、本明細書の開示に従って行うことができる。従って、本発明の幅及び範囲は、上記の実施形態の何れかによって限定されるべきではない。むしろ、本発明の範囲は、添付の特許請求の範囲及びその均等物に従って定義されるべきである。
【００３８】
本発明を１つ以上の実施形態に関して詳細に述べてきたが、本明細書および図式を読み理解する際に他の当業者により等価な修正および変更が生じ得る。また、本発明の特定の特徴は、複数の実施法案の１つだけに関連して述べられているが、このような特徴は、付与の、または特定の応用に必要で利点がある１つ以上の他の実施法案の他の特徴と組み合わせられてもよい。
【００３９】
本明細書で使用する用語は、特定の実施形態のみを説明するものであって、本発明を限定するものではない。本明細書では、単数形の「一つの（ａ）」、「一つの（ａｎ）」及び「その（ｔｈｅ）」は、文脈によって他の明確な指示がされない限り、複数形も含む。さらに、「含む」、「有する」又はこれらの変形は、詳細な説明及び／又は特許請求の範囲で使用される限りにおいて、「備える」という用語と同様に包括的であることが意図される。
【００４０】
特に定義されない限り、本明細書で使用される全ての用語（技術的及び科学的用語を含む）は、当業者によって一般的に理解されるのと同じ意味を有する。さらに、一般的に使用される辞書に定義されているような用語は、関連技術の文脈における意味と一致する意味を有するものと解釈されるべきであり、本明細書で明示的に定義されていない限り、理想化された又は過度に形式的な意味で解釈されない。
【符号の説明】
【００４１】
１００Ａ、１００Ｂ  従来のコンピュータシャーシ
１１０  シャーシ本体
１１１  前部
１１２、１１２ａ  ファン
１１３  後部
１２０  第１のカバー
１３０  第２のカバー
２００Ａ、２００Ｂ  コンピュータシャーシ
２００Ｃ  ロック位置
２００Ｄ  ロック解除位置
２０２  トップカバー
２０４、５００Ａ  ラッチ装置
２０４ａ、２０４ｂ  サイドラッチ
２０５  サイド部
２８０  ボタン
２８１  ボタンハウジング
２８２  停止要素
２８３  シャーシ壁
２８４、５０８、５１４  受容要素
２８５  第１の開口
２９０  第２の開口
２９２  方向
２９５  ユーザー
３００Ａ、３００Ｂ、４００Ａ  シャーシ
３０３  後側
３０４、４０８  サブカバー
３０５  ヒンジ
３０６、４１０、５００Ｂ  ロック機構
５０２  フック
５０４  本体
５０６  ハウジング
５１０  つまみねじ
５１２  凹部
５１６  開口
【図１Ａ】
2020191066.tif 000003
【図１Ｂ】
2020191066.tif 000004
【図２Ａ】
2020191066.tif 000005
【図２Ｂ】
2020191066.tif 000006
【図２Ｃ】
2020191066.tif 000007
【図２Ｄ】
2020191066.tif 000008
【図３Ａ】
2020191066.tif 000009
【図３Ｂ】
2020191066.tif 000010
【図４Ａ】
2020191066.tif 000011
【図４Ｂ】
2020191066.tif 000012
【図５Ａ】
2020191066.tif 000013
【図５Ｂ】
2020191066.tif 000014